(57)【特許請求の範囲】
【請求項１】
透液性の表面シートと不透液性の裏面シートとの間に保液性のメイン吸収体を備え、少なくとも前記裏面シートが側方へ延出してサイドフラップを形成している使い捨ておむつであって、
着用者の腹部にあてがう前身頃と、背部にあてがう後身頃と、股間部にあてがう股下部と、を有する使い捨ておむつにおいて、
前身頃及び後身頃の前記サイドフラップにおける部分であって、装着状態にて着用者のウエストの脇部を覆う部分には、保液性の補助吸収体が配されているとともに、該補助吸収体の表面は透液性のシートのみで覆われていることを特徴とする使い捨ておむつ。
【請求項２】
前記補助吸収体は、前記メイン吸収体が側方へ延出形成されてなることを特徴とする請求項１に記載の使い捨ておむつ。
【請求項３】
前記補助吸収体は、サイドフラップ毎に独立して配されていることを特徴とする請求項１に記載の使い捨ておむつ。
【請求項４】
前記表面シートは裏面シートと同形に側方へ延出形成されて該裏面シートと共にサイドフラップを構成する一方、これら表面シートと裏面シートとの間に前記補助吸収体が介装されることを特徴とする請求項１乃至３のいずれかに記載の使い捨ておむつ。
【請求項５】
前記サイドフラップ上を基端とする立体ギャザーを形成する立体ギャザーシートが、前記メイン吸収体の側縁部分を覆いつつ該メイン吸収体の長手方向に沿って設けられており、
着用時に前記メイン吸収体上に起立する立体ギャザーの先端側部分は撥水性に形成されていることを特徴とする請求項１乃至４のいずれかに記載の使い捨ておむつ。
【請求項６】
前記立体ギャザーシートは裏面シートと同形に側方に延出形成し該裏面シートに重ね合わされてサイドフラップを構成する一方、これら立体ギャザーシートと裏面シートとの間に前記補助吸収体が介装されて、該立体ギャザーシートにおける少なくとも補助吸収体を覆う部分は透液性に形成されていることを特徴とする請求項５に記載の使い捨ておむつ。
【発明の詳細な説明】
【０００１】
【発明の属する技術分野】
本発明は使い捨ておむつに関する。
【０００２】
【従来の技術】
図８に、従来から市場に提供されている、排尿時の漏れ防止用立体ギャザー４３を備えた使い捨ておむつ１００を示す。ここで、図８（ａ）は当該使い捨ておむつ１００の展開状態における平面図、図８（ｂ）は、図８（ａ）中のＢ−Ｂ線矢視の断面図であり、図中、接着される部分を×印で示している。
【０００３】
図示の如くこの使い捨ておむつ１００は、透液性の表面シート１１と不透液性の裏面シート２１との間に保液性の吸収体３１を備え、前記立体ギャザー４３は、表面シート１１上における前記吸収体３１の左右両側縁部分に配されている。
【０００４】
この立体ギャザー４３は、全面撥水性の立体ギャザーシート４１により形成され、この立体ギャザーシート４１は、表面シート１１を介して吸収体３１の側縁部分を覆いつつ吸収体３１の長手方向に沿って配される。そして、立体ギャザー４３の基端４５を形成すべく、吸収体３１の側縁に沿って表面シート１１上または裏面シート２１上に貼着され、当該立体ギャザー４３の先端側部分４７は、表面シート１１を介して吸収体３１上で起立する一方、基端側部分４９は表面シート１１を介して吸収体３１上に接離可能に重なるようになっている。
【０００５】
また、この基端４５から側方へは裏面シート２１と同形状に延出しており、この延出部分４２は裏面シート２１に貼り合わされてサイドフラップ５１を構成している。このサイドフラップ５１は、着用者の腹部にあてがう前身頃３および背部にあてがう後身頃５については幅広に形成される一方、股間部にあてがう股下部７については幅狭に形成され、もって、使い捨ておむつ１００の平面視外形は略砂時計状に形成されている。
【０００６】
図９（ａ）に、着用状態の使い捨ておむつ１００のウエストでの横断面図を示す。この使い捨ておむつ１００の着用者１への装着は、▲１▼前身頃３や後身頃５等を着用者１の腹部１ａや背部１ｂといった各対応部位にあてがい、▲２▼次いで前身頃３の左右のサイドフラップ５１を着用者１の左右脇部１ｃにあてがいつつ、その上を後身頃５の左右のサイドフラップ５１にて覆い、▲３▼この状態を維持すべく、後身頃５のサイドフラップ側端部５１ａのファスニングテープ（不図示）を前身頃３に止着して行われる。
【０００７】
この着用状態にあっては、図９（ａ）、および図９（ｂ）の着用者１中心の縦断面図にて示すように、前身頃３、後身頃５、および股下部７における立体ギャザーの先端側部分４７は、表面シート１１上に起立して着用者１の肌に当接し、表面シート１１上に滞留する尿２をせき止める堰となる。また、この時、前記基端側部分４９の側方に連続する、前身頃３および後身頃５のサイドフラップ５１はウエストの脇部１ｃ周りに、股下部７のサイドフラップ５１は脚１ｄ周りにそれぞれ位置して脇部１ｃおよび脚１ｄを覆っている。
【０００８】
そして、かかる着用状態下では当該使い捨ておむつ１００は、排尿された尿２を、前記吸収体３１にて所定の吸収速度で吸収するとともに、尿２を脇に漏出しないように前記立体ギャザー４３で表面シート１１上に堰き止めるようになっている。
【０００９】
【発明が解決しようとする課題】
しかしながら、排尿速度が速くて尿２が溢れかえるような場合には、完全に堰き止めるのは困難で、その際には、一部の尿２が立体ギャザー４３の先端側部分４７を越えて前記サイドフラップ５１の方へと流れ出し（この尿２ａの流れを図中破線矢印にて示す）、当該尿２ａは、前記脇部１ｃ周りや脚１ｄ周りに位置するサイドフラップ５１に達してしまう。そして、このサイドフラップ５１を構成する立体ギャザーシート４１は、前述したように全面に亘り撥水性に形成されているため、前記尿２ａはサイドフラップ５１にはじかれてサイドフラップ５１と着用者１の肌との間に滞留し、肌のかぶれや不快感の原因となる虞があった。
【００１０】
更に、この滞留する尿２ａは、肌を伝っておむつ１００の外へと漏れ出し、おむつ１００近傍の着衣類（不図示）までも汚し、介護者は、その都度おむつ１００だけでなく衣類までも着替えさせなければならない場合があった。
【００１１】
本発明はかかる従来の課題に鑑みて成されたもので、吸収体に吸収されずにサイドフラップの方へ流出した尿をサイドフラップにて吸収可能な使い捨ておむつを提供することを目的とする。
【００１２】
【課題を解決するための手段】
かかる目的を達成するために請求項１に示す発明は、透液性の表面シートと不透液性の裏面シートとの間に保液性のメイン吸収体を備え、少なくとも前記裏面シートが側方へ延出してサイドフラップを形成している使い捨ておむつであって、着用者の腹部にあてがう前身頃と、背部にあてがう後身頃と、股間部にあてがう股下部と、を有する使い捨ておむつにおいて、前身頃及び後身頃の前記サイドフラップにおける部分であって、装着状態にて着用者のウエストの脇部を覆う部分には、保液性の補助吸収体が配されているとともに、該補助吸収体の表面は透液性のシートのみで覆われていることを特徴とする。
上記発明によれば、前記メイン吸収体にて吸収されずにサイドフラップの方へ流出した尿を、このサイドフラップに配された保液性の補助吸収体により、その表面の透液性のシートを介して吸収することができる。よって、サイドフラップ表面と肌との間に尿が滞留することを防ぐことができる。
【００１３】
請求項２に示す発明は、請求項１に記載の使い捨ておむつにおいて、前記補助吸収体は、前記メイン吸収体が側方へ延出形成されてなることを特徴とする。
上記発明によれば、前記補助吸収体は、前記メイン吸収体が側方へ延出して一体形成されているので、補助吸収体を別途製造する必要はなく、当該おむつの製造工程を簡略化できる。
また、メイン吸収体と補助吸収体とは一体化しているので、吸収体全体としての吸液可能容量は大きくなっている。よってその吸収速度も上がっており、吸収速度律速のために吸収されずにサイドフラップへと流出する尿の量を大きく減らすことができる。
【００１４】
請求項３に示す発明は、請求項１に記載の使い捨ておむつにおいて、前記補助吸収体は、サイドフラップ毎に独立して配されていることを特徴とする。
上記発明によれば、前記補助吸収体は、サイドフラップ毎に独立して配されているので、尿の滞留量が多いサイドフラップのみに選択的に配置したり、吸液可能容量をサイドフラップ毎に変えることができる。
【００１５】
請求項４に示す発明は、請求項１乃至３のいずれかに記載の使い捨ておむつにおいて、前記表面シートは裏面シートと同形に側方へ延出形成されて該裏面シートと共にサイドフラップを構成する一方、これら表面シートと裏面シートとの間に前記補助吸収体が介装されることを特徴とする。
上記発明によれば、前記補助吸収体の表面を覆う表面シートは透液性であるため、別途透液性のシートにて覆う必要はない。
【００１６】
請求項５に示す発明は、請求項１乃至４のいずれかに記載の使い捨ておむつにおいて、前記サイドフラップ上を基端とする立体ギャザーを形成する立体ギャザーシートが、前記メイン吸収体の側縁部分を覆いつつ該メイン吸収体の長手方向に沿って設けられており、着用時に前記メイン吸収体上に起立する立体ギャザーの先端側部分は撥水性に形成されていることを特徴とする。
【００１７】
上記発明によれば、着用時にメイン吸収体上に起立する立体ギャザーの先端側部分は撥水性となっている。よって、排尿速度にメイン吸収体の吸収速度が間に合わず表面シート上に滞留する尿を、先ず、前記先端側部分が堰となって前記表面シート上に堰き止める。そして、堰き止めきれずに前記先端側部分を越えた尿は、前記サイドフラップの方へと流れ出すが、その時には、このサイドフラップに配された保液性の補助吸収体により、その表面の透液性のシートを介して吸収することができる。つまり、二段階でサイドフラップと肌との間に尿が滞留することを防ぐことができて、前記滞留を確実に防止することができる。
【００１８】
請求項６に示す発明は、請求項５に記載の使い捨ておむつにおいて、前記立体ギャザーシートは裏面シートと同形に側方に延出形成し該裏面シートに重ね合わされてサイドフラップを構成する一方、これら立体ギャザーシートと裏面シートとの間に前記補助吸収体が介装されて、該立体ギャザーシートにおける少なくとも補助吸収体を覆う部分は透液性に形成されていることを特徴とする。
【００１９】
上記発明によれば、立体ギャザーシートのサイドフラップを構成する部分と裏面シートとの間には補助吸収体が介装されている一方、前記立体ギャザーシートにおける補助吸収体を覆う部分は透液性に形成されているので、サイドフラップと肌との間に滞留する尿は、前記立体ギャザーシートの透液性部分を介して補助吸収体に吸収される。よって、サイドフラップと肌との間に尿が滞留することを防ぐことができる。
また、前記立体ギャザーシートにおける補助吸収体の表面を覆う部分は透液性であるため、別途透液性のシートにて覆う必要はない。
【００２０】
【発明の実施の形態】
以下、本発明に係る第１実施形態を添付図面を参照して詳細に説明する。
図１（ａ）は本第１実施形態に係る展開状態の使い捨ておむつの平面図であり、図１（ｂ）は図１（ａ）中のＢ−Ｂ線矢視の断面図、図１（ｃ）は図１（ａ）中のＣ−Ｃ線矢視の断面図である。
【００２１】
図１に示すように、この使い捨ておむつ１０は、透液性の表面シート１１と、おむつ１０中央部では前記表面シート１１との間にメイン吸収体３１を介装しつつ、おむつ１０両側部では後記立体ギャザーシート４１と共にサイドフラップ５１を構成する不透液性の裏面シート２１と、表面シート１１上におけるメイン吸収体３１の両側縁部分に起立する立体ギャザー４３を長手方向に亘って形成する立体ギャザーシート４１とから主に構成される。
【００２２】
前記メイン吸収体３１は概ね平面視砂時計形状であり、綿状パルプに吸収性ポリマーを混合して構成される。尚、好ましくは、このメイン吸収体３１の表面３１ａには、尿の表面拡散を促すべくその全面を覆って不織布製拡散シートを敷くのが良く、また裏面３１ｂには、防漏性を高めるべくその全面を覆ってポリエチレン製防水フィルムを敷設するのが良い。
【００２３】
このメイン吸収体３１の表面３１ａは、その全面に亘って前記透液性の表面シート１１により覆われている。そして、メイン吸収体３１より側方へ若干延出する表面シート１１の部分１１ａは、メイン吸収体３１の裏面３１ｂに配される後記裏面シート２１にホットメルト接着剤にて貼り合わされ、もって両シート１１，２１間にメイン吸収体３１が保持されている。尚、以降で出てくる接着に関する記載は、基本的にホットメルト接着剤にてなされ、その都度説明はしない。この表面シート１１は親水性の不織布や織布等であり、その構成繊維は、ポリプロピレン、ポリエチレン、ポリエステル、ナイロン等の単繊維、若しくはこれらのうちの２成分以上からなる複合繊維にて構成される。
【００２４】
前記裏面シート２１は、前記メイン吸収体３１と類似形状の平面視砂時計形状を呈しているが、後述する立体ギャザーシート４１とでサイドフラップ５１を形成すべく、メイン吸収体３１から側方へ大きく延出している。そして、その中央に、互いの括れ部を一致させつつ前記メイン吸収体３１が配されて、前述したメイン吸収体表面３１ａを覆う表面シート１１の延出部分１１ａと貼着される。この裏面シート２１は不透液性であり、ポリエチレンフィルム等や撥水加工された不織布等の単層シート、若しくは裏面側に不織布が張り合わせられたポリエチレンフィルム等の複層シートが適用される。尚、好ましくは、前記ポリエチレンフィルムに、液体分子を透過させない程度の多数の微孔を設け、蒸れ防止とするのが良い。
【００２５】
前記立体ギャザーシート４１は、表面シート１１を介しつつ前記メイン吸収体３１の側縁部分を覆ってメイン吸収体３１の長手方向に亘って配される。そして、メイン吸収体３１の側縁に沿って表面シート１１または裏面シート２１に貼着されて立体ギャザー４３の基端４５を形成する。この立体ギャザー４３の先端側部分４７は、表面シート１１を介してメイン吸収体３１の側縁部分上で起立する一方、基端側部分４９はメイン吸収体３１上の表面シート１１面に接離可能に重なっている。また前記基端４５から側方へは、裏面シート２１と同形状に延出し、この延出部分４２は裏面シート２１に貼り合わされてサイドフラップ５１を構成する。このサイドフラップ５１は、着用者の腹部にあてがう前身頃３および背部にあてがう後身頃５については幅広に形成される一方、股間部にあてがう股下部７については幅狭に形成され、もって、使い捨ておむつ１０の外形は平面視砂時計状になっている。
【００２６】
また、この立体ギャザーシート４１は、立体ギャザー４３の先端４７ａにて折り返された２枚重ねの状態で使用され、この先端の折り返し部４７ａには、この長手方向に沿って少なくとも１本の糸状弾性ゴム５３ａが介装されている。この糸状弾性ゴム５３ａは、伸長状態で前記折り返し部４７ａに接着固定されていて、この折り返し部４７ａを長手方向に収縮するようになっている。そして、この収縮力によって前記立体ギャザー４３の先端側部分４７は起立する。
【００２７】
また、前記サイドフラップ５１の側縁に沿って、複数本の糸状弾性ゴム５３ｂが伸長状態にて前記二枚重ねのシート４１間に介装固定されており、その収縮力によって脚周りギャザーを形成している。この糸状弾性ゴム５３ａ，５３ｂとしては、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材が適用される。尚、この糸状弾性ゴム５３ｂは必須構成ではなく、脚周りギャザーはなくても良い。
【００２８】
前記後身頃５のサイドフラップ５１の両側端部５１ａには、このサイドフラップ５１を前身頃３のサイドフラップ５１と接合して、当該おむつ１０を着用者に装着させるためのファスニングテープ５５がそれぞれ設けられている。
【００２９】
以上の構成からなる使い捨ておむつ１０を着用者に装着した状態を図２に示す。ここで、図２（ａ）は、着用状態の使い捨ておむつ１０のウエストでの横断面図であり、図２（ｂ）は、着用者１中心の縦断面図である。前述したように、前身頃３、後身頃５、および股下部７における立体ギャザー４３の先端側部分４７は起立して着用者１の肌に当接し、メイン吸収体３１上に尿２をせき止める堰となる一方、立体ギャザー４３の基端側部分４９は、メイン吸収体３１の側縁部分上に接離可能に重なっている。そして、この基端側部分４９に連続するサイドフラップ５１は、後身頃５および前身頃３についてはウエストの脇部１ｃを覆う一方、股下部７については脚１ｄを覆っている。
【００３０】
尚、以上説明してきた構成は、通常の使い捨ておむつと概ね同じであり、以下にて説明する内容が本発明の特徴的事項である。
図１に示すように、本第１実施形態のサイドフラップ５１を構成する、前記立体ギャザーシート４１と裏面シート２１との間には補助吸収体３３ａ，３３ｂが介装されて、この補助吸収体３３ａ，３３ｂの周囲に亘って両シート４１，２１同士は接着されている。この補助吸収体３３ａ，３３ｂは、前身頃３および後身頃５の左右のサイドフラップ５１にそれぞれに配される、薄厚の矩形シート状の第１補助吸収体３３ａと、股下部７の左右のサイドフラップ５１に、その側縁部に沿わせて配される紐状の第２補助吸収体３３ｂとからなる。
【００３１】
前記第１補助吸収体３３ａ厚みは、サイドフラップ５１の装着性が悪化しないように、吸液限界まで吸収した膨潤後にあっても１０ｍｍ以下となっているのが望ましい。また、前記第２補助吸収体３３ｂにあっては、前記脚周りギャザーを形成するための前記糸状弾性ゴム５３ｂに保液性を持たせて、この第２補助吸収体３３ｂの代わりとしても良い。
【００３２】
第１および第２補助吸収体３３ａ，３３ｂは、前記メイン吸収体３１と同様に綿状パルプに吸収性ポリマーを混合して構成される。尚、第１補助吸収体３３ａにあっては、好ましくは、このメイン吸収体３１の表面３１ａを前記不織布製拡散シートにて覆い、また裏面３１ｂを前記ポリエチレン製防水フィルムで覆うのが良い。
【００３３】
一方、前記立体ギャザーシート４１は、図１に示すように、着用時に前記メイン吸収体３１上に起立する立体ギャザー４３の先端側部分４７が、その長手方向に亘って撥水性に形成される一方、その他の部分、つまり前記着用時にメイン吸収体３１上に接離可能に重なる基端側部分４９、基端４５、およびサイドフラップ５１を構成する部分４２は透液性に形成されている。
【００３４】
よって、図２に示す着用時にあっては、排尿速度にメイン吸収体３１の吸収速度が間に合わず表面シート１１上に滞留する尿２を、前記先端側部分４７が堰となって前記表面シート１１上に可能な限り堰き止める。また、万一堰き止めきれずに前記先端側部分４７を尿２が越えた場合には、当該尿２は前記サイドフラップ５１の方へと流出するが、このサイドフラップ５１に配された前記第１および第２補助吸収体３３ａ，３３ｂに吸収される。尚、この時、当該補助吸収体３３ａ，３３ｂ表面を覆うサイドフラップ５１の部分４２は透液性に形成されているため、サイドフラップ５１表面に滞留する尿２ａを速やかに前記補助吸収体３３ａ，３３ｂへと誘導することができる。
【００３５】
したがって、肌とサイドフラップ５１との間に尿２ａが滞留することは防がれて、着用者１の肌のかぶれや蒸れ等の不快感を抑える一方、おむつ１０近傍の着衣類の汚れも防ぐことができる。
【００３６】
この立体ギャザーシート４１は、親水性のシート基材における、前記先端側部分４７に相当する部分のみを撥水加工することで得られる。親水性のシート基材としては不織布や織布等であり、これらの構成繊維は、ポリプロピレン、ポリエチレン、ポリエステル、ナイロン等の単繊維、またはポリプロピレン、ポリエチレン、ポリエステル、ナイロン等のうちの２成分からなる複合繊維を用いることができる。また、前記撥水加工は、シリコン系、パラフィン金属系、アルキルクロミッククロイド系撥水剤等を前記シート基材にコーティングして繊維を疎水化してなされる。
【００３７】
尚、前記例にあっては、立体ギャザーシート４１における、前記先端側部分４７を除く全ての部分４９，４５，４２に亘って透液性に形成したが、これに限るものではなく、第１および第２補助吸収体３３ａ，３３ｂの表面と当接する部分のみを透液性にして残る部分は撥水性にしても良い。この場合、尿２ａを補助吸収体３３ａ，３３ｂへ誘導できる範囲は狭まるが、サイドフラップ５１における撥水性の範囲が広がるため、着用者が感じる肌触りは良好となる。
【００３８】
図３は前記第１実施形態の変形例を示す図であって、図１（ａ）中のＢ−Ｂ線矢視にて示す断面図である。尚、前記Ｃ−Ｃ線矢視の断面図は、補助吸収体の大きさが異なるだけで、概ね前記Ｂ−Ｂ線矢視の断面図と同じであるため、同図３を用いて説明する。
【００３９】
前記第１実施形態に係る前記補助吸収体３３ａ，３３ｂは、二枚重ねの立体ギャザーシート４１と裏面シート２１との間に介装されていたところ、本変形例は、第１および第２補助吸収体３３ａ，３３ｂが、二枚重ねの立体ギャザーシート４１間に介装されている点で相違する。
【００４０】
つまり、図３に示すように、二枚重ねのうちの裏面側のシート４１ｂは、そのサイドフラップ５１における部分４２が裏面シート２１と貼り合わされる一方、この裏面側のシート４１ｂと表面側のシート４１ａとの間に前記第１および第２補助吸収体３３ａ，３３ｂを介装しつつ、補助吸収体３３ａ，３３ｂの周囲に亘って両シート４１ａ，４１ｂ同士は接着されている。そして、この構成によれば、更に、裏面側のシート４１ｂの部分に撥水加工を施せば、補助吸収体３３ａ，３３ｂの裏面側への防漏性を強化することができる。
【００４１】
図４は本発明に係る第２実施形態を示す図であって、図４（ａ）に展開状態の平面図を、図４（ｂ）に、図４（ａ）中のＢ−Ｂ線矢視の断面図を、図４（ｃ）に、図４（ａ）中のＣ−Ｃ線矢視の断面図を示す。
【００４２】
前記第１実施形態はサイドフラップ５１を立体ギャザーシート４１にて構成したところ、本第２実施形態は、この立体ギャザーシート４１に代えて表面シート１１がサイドフラップ５１を構成している点で相違する。
【００４３】
つまり、図４に示すように表面シート１１は、メイン吸収体３１より側方へ大きく延出して前記裏面シート２１と概ね同形の略砂時計形状に形成され、その延出部分１１ｂが裏面シート２１に重ね合わされてサイドフラップ５１を形成している。一方、前記立体ギャザーシート４１は、前記先端側部分４７から前記基端４５までしかなく、サイドフラップ５１の部分には存在していない。
【００４４】
よって、前記第１および第２補助吸収体３３ａ，３３ｂは、表面シート１１の延出部分１１ｂと、これが重なる裏面シート２１との間に介装されている。そして、このような構成によれば、表面シート１１が透液性であることから、前記第１実施形態と同様に透液性のサイドフラップ５１にて尿を第１および第２補助吸収体３３ａ，３３ｂへと誘導でき、もってサイドフラップ５１に滞留する尿２ａを前記補助吸収体３３ａ，３３ｂにより吸収することができる。
【００４５】
尚、第１実施形態において立体ギャザーシート４１間に介装されて脚周りギャザーを形成した糸状弾性ゴム５３ｂは、図４（ｃ）に示すように、表面シート１１ｂと裏面シート２１との間に介装されている。
また、本第２実施形態にあっては、立体ギャザーシート４１を省略して立体ギャザー４３の無い構成にしても良い。
【００４６】
図５は本発明に係る第３実施形態を示す図であって、図５（ａ）に展開状態の平面図を、図５（ｂ）に、図５（ａ）中のＢ−Ｂ線矢視の断面図を、図５（ｃ）に、図５（ａ）中のＣ−Ｃ線矢視の断面図を示す。
【００４７】
前記第１実施形態はサイドフラップ５１を立体ギャザーシート４１にて構成し、この立体ギャザーシート４１と裏面シート２１との間に、第１および第２補助吸収体３３ａ，３３ｂを介装配置したところ、本第３実施形態は、サイドフラップ５１における立体ギャザーシート４１表面に補助吸収体３３ａ，３３ｂを載置している点で相違する。
【００４８】
つまり、図５に示すように、前記矩形シート状の第１補助吸収体３３ａが、前身頃３および後身頃５の左右のサイドフラップ５１上に載置されているとともに、股下部７の左右のサイドフラップ５１上には前記紐状の第２補助吸収体３３ｂが載置されている。そして、これら第１および第２補助吸収体３３ａ，３３ｂの表面をそれぞれに覆う、透液性の第１および第２被覆シート６１ａ，６１ｂが追設されている。
【００４９】
これら被覆シート６１ａ，６１ｂは、第１および第２補助吸収体３３ａ，３３ｂ表面の平面寸法よりも若干大きく形成され、これら補助吸収体３３ａ，３３ｂより四方へ延出する延出部分が前記立体ギャザーシート４１表面に貼り付けられ、もってこの補助吸収体３３ａ，３３ｂはサイドフラップ５１に保持されている。一方、前記立体ギャザーシート４１は、その全面に亘って撥水性に形成されており、もって、サイドフラップ５１の裏面側への防漏性は強化されている。
【００５０】
尚、本第１および第２補助吸収体を着脱可能にして取り替え式にしても良い。すなわち、例えば、表面を被覆シート６１ａで覆われた第１補助吸収体３３ａの裏面に粘着テープを配して、取り替え式の補助吸収体を形成して、前記第１補助吸収体３３ａの代わりに、立体ギャザーシート４１表面に接着しても良い。そして、この構成によれば、着用者に装着後、当該取り替え式補助吸収体のみ吸液限界に達したら、適宜この取り替え式補助吸収体のみを交換して使い捨ておむつ本体は再使用することができる。更には、前記第１補助吸収体３３ａの上からこの取り替え式補助吸収体を追設しても良い。
【００５１】
図６は本発明に係る第４実施形態を示す図であって、図６（ａ）に展開状態の平面図を、図６（ｂ）に、図６（ａ）中のＢ−Ｂ線矢視の断面図を示す。尚、股下部７における断面図は、幅方向の寸法が異なるのみで、概ね前記Ｂ−Ｂ線矢視の断面図と同じであるため、同図６（ｂ）を用いて説明する。
【００５２】
前記第１実施形態は、メイン吸収体３１とは別に、４つの第１補助吸収体３３ａを前身頃３および後身頃５の左右のサイドフラップ５１に配する一方、２つの第２補助吸収体３３ｂを股下部７の左右のサイドフラップ５１にそれぞれ配置したところ、本第４実施形態は、前記メイン吸収体３１と前記補助吸収体３３ａ，３３ｂとが一体化した一つの吸収体３５にて構成されている点で相違する。
【００５３】
つまり、前記吸収体３５にあっては、その砂時計形形状を維持しつつ、中央の幅狭部および両端の幅広部が更に側方へ延出して拡幅しており、その延出端３５ｂ，３５ａは、股下部７、前記前身頃３および後身頃５の左右のサイドフラップ５１内にそれぞれ入り込んでいて、つまり裏面シート２１と立体ギャザーシート４１との間に介装されている。
【００５４】
そして、このような構成によれば、メイン吸収体３１と前記補助吸収体３３ａ，３３ｂとが一体化してなる吸収体３５全体としての吸液可能容量は大きくなっている。よってその吸収速度も上がっており、吸収速度律速のために吸収されずにサイドフラップ５１の方へと流出する尿の量を大きく減らすことができる。
【００５５】
図７は本発明に係る第５実施形態を示す図であって、図７（ａ）に展開状態の平面図を、図７（ｂ）に、図７（ａ）中のＢ−Ｂ線矢視の断面図を示す。
【００５６】
第４実施形態は、サイドフラップ５１を立体ギャザーシート４１にて構成したところ、本第５実施形態は、この立体ギャザーシート４１に代えて表面シート１１がサイドフラップ５１を構成している点で相違する。
【００５７】
つまり、図７に示すように表面シート１１は側方へ大きく延出して前記裏面シート２１と概ね同形の略砂時計形状に形成され、その延出部分１１ｂが裏面シート２１に重ね合わされてサイドフラップ５１を形成している。一方、前記立体ギャザーシート４１は、前記先端側部分４７から前記基端４５までしかなく、サイドフラップ５１の部分には存在していない。このようなサイドフラップ５１内には、前記吸収体３５の幅狭部および幅広部の前記延出端３５ａ，３５ｂがそれぞれに入り込んでいる。つまり、前記吸収体３５の６つの延出端３５ａ，３５ｂは、表面シート１１の延出部分１１ｂと、これに重なる裏面シート２１との間に介装されている。
【００５８】
そして、このような構成によれば、表面シート１１が透液性であることから、前記第１実施形態と同様にサイドフラップ５１にて尿を吸収体３５へと誘導でき、もってサイドフラップ５１に滞留する尿２ａを前記吸収体３５により吸収することができる。
尚、本第４実施形態にあっては、立体ギャザーシート４１を省略して立体ギャザー４３の無い構成にしても良い。
【００５９】
以上、本発明に係る実施形態について説明したが、本発明は、かかる実施形態に限定されるものではなく、その要旨を逸脱しない範囲で以下に示すような変形が可能である。
【００６０】
本実施形態においては、立体ギャザーシート４１を二枚重ねにして用いたが、これに限るものではなく一枚でも良い。尚、この場合にあっては、少なくとも立体ギャザー４３の先端側部分４７だけは折り返されて、その折り返し部に前記糸状弾性ゴム５３ａが配されることは言うまでもない。
【００６１】
本実施形態においては、前身頃３および後身頃５の左右のサイドフラップ５１に第１補助吸収体３３ａを配するだけでなく、股下部７の左右のサイドフラップ５１にも第２補助吸収体３３ｂを配したが、股下部７のサイドフラップ５１方向への尿漏れが少ない場合には、第２補助吸収体３３ｂを配置する必要がないのは言うまでもない。
【００６２】
本実施形態においては、メイン吸収体３１の形状を、概ね平面視砂時計状に形成したが、これに限るものではなく、平面視矩形状であっても良い。
【００６３】
本実施形態においては、テープ止着型使い捨ておむつ、すなわちファスニングテープで前身頃３と後身頃５とを接合する使い捨ておむつであったが、前身頃３と後身頃５とを予め接合してなるパンツ式使い捨ておむつに対しても全く同様に適用できることは言うまでもない。
【００６４】
本実施形態においては、メイン吸収体３１上に尿取りパッドを配置して使用することについて具体的に記載していないが、前記尿取りパッドを、通常の使い捨ておむつと同様にメイン吸収体３１上に配置できるのは言うまでもない。
【００６５】
【発明の効果】
以上説明したように、請求項１によればサイドフラップの方へ流出した尿を補助吸収体にて吸収することができるので、尿が肌とサイドフラップとの間に滞留するのを防止できて、着用者の肌のかぶれや不快感を抑える一方、おむつ近傍の着衣類の汚れも防ぐことができる。
【００６６】
請求項２によれば、補助吸収体を別途製造する必要はなく、当該おむつの製造工程を簡略化できるので、その生産性を向上できる。
また、メイン吸収体の吸収速度も上がっており、吸収速度律速のために吸収されずにサイドフラップの方へ流出する尿の量を大きく減らすことができるので、肌とサイドフラップとの間に尿が滞留するのを防止できる。
【００６７】
請求項３によれば、尿の滞留量が多いサイドフラップのみに選択的に配置したり、吸液可能容量をサイドフラップ毎に変えることができるので、補助吸収体を、各サイドフラップの最適必要吸液量に対応させて配することができ、もって過剰品質を無くして当該おむつを廉価にできる。
【００６８】
請求項４によれば、別途透液性のシートにて補助吸収体を覆う必要はなく、当該おむつを廉価にできる。
【００６９】
請求項５によれば、サイドフラップ表面と肌との間に尿が滞留するのを防ぐことができるので、着用者の肌のかぶれや不快感を抑える一方、おむつ近傍の着衣類の汚れも防ぐことができる。
【００７０】
請求項６によれば、サイドフラップと肌との間に尿が滞留することを防ぐことができるので、着用者の肌のかぶれや不快感を抑える一方、おむつ近傍の着衣類の汚れも防ぐことができる。
また、別途透液性のシートにて補助吸収体を覆う必要はなく、当該おむつを廉価にできる。
【図面の簡単な説明】
【図１】図１（ａ）は本第１実施形態に係る展開状態の使い捨ておむつの平面図であり、図１（ｂ）は図１（ａ）中のＢ−Ｂ線矢視の断面図、図１（ｃ）は図１（ａ）中のＣ−Ｃ線矢視の断面図である。
【図２】図２（ａ）は、着用状態の使い捨ておむつのウエストでの横断面図であり、図２（ｂ）は着用者中心の縦断面図である。
【図３】前記第１実施形態の変形例を示す図であって、図１（ａ）中のＢ−Ｂ線矢視にて示す断面図である。
【図４】本発明に係る第２実施形態を示す図であって、図４（ａ）は展開状態の平面図であり、図４（ｂ）は、図４（ａ）中のＢ−Ｂ線矢視の断面図、図４（ｃ）は、図４（ａ）中のＣ−Ｃ線矢視の断面図である。
【図５】本発明に係る第３実施形態を示す図であって、図５（ａ）は展開状態の平面図であり、図５（ｂ）は、図５（ａ）中のＢ−Ｂ線矢視の断面図、図５（ｃ）は、図５（ａ）中のＣ−Ｃ線矢視の断面図である。
【図６】本発明に係る第４実施形態を示す図であって、図６（ａ）は展開状態の平面図であり、図６（ｂ）は、図６（ａ）中のＢ−Ｂ線矢視の断面図である。
【図７】本発明に係る第５実施形態を示す図であって、図７（ａ）は展開状態の平面図であり、図７（ｂ）は、図７（ａ）中のＢ−Ｂ線矢視の断面図である。
【図８】従来から市場に提供されている、排尿時の漏れ防止用立体ギャザーを備えた使い捨ておむつを示す図であって、図８（ａ）は使い捨ておむつの展開状態における平面図であり、図８（ｂ）は、図８（ａ）中のＢ−Ｂ線矢視の断面図である。
【図９】図９（ａ）は、着用状態の使い捨ておむつのウエストでの横断面図であり、図９（ｂ）は着用者中心の縦断面図である。
【符号の説明】
１  着用者
１０  使い捨ておむつ
１１  表面シート
２１  裏面シート
３１  メイン吸収体
３３ａ  第１補助吸収体（補助吸収体）
３３ｂ  第２補助吸収体（補助吸収体）
４１  立体ギャザーシート
４２  立体ギャザーシートの延出部分
４３  立体ギャザー
４５  基端
４７  先端側部分
４９  基端側部分
５１  サイドフラップ
【図１】
0004027097.tif 000002
【図２】
0004027097.tif 000003
【図３】
0004027097.tif 000004
【図４】
0004027097.tif 000005
【図５】
0004027097.tif 000006
【図６】
0004027097.tif 000007
【図７】
0004027097.tif 000008
【図８】
0004027097.tif 000009
【図９】
0004027097.tif 000010